(57)【特許請求の範囲】
【請求項１】
複数列の端子収容溝部内に、電線端末にそれぞれ接続された複数の端子が収容されたモジュールプレートと、このモジュールプレートを複数枚に積層した状態でこれらのモジュールプレートの所定のスルーホールに、前記端子に設けられた突出部を配置し所定のスルーホールに接続バーを挿通し、接続鉤部を所定の端子の突出部に接続し、接続を必要としない個所には端子の突出部に絶縁部材を引っ掛け、接続鉤部をつぶして絶縁し、各層間の所定の電線同士を接続し所望の回路を形成する接続バーとを備えた電気接続箱であって、
前記端子が長尺状で、一側に負荷システム毎に仕分けられた複数の電線端末が接続される電線接続部が設けられ、他側に前記接続バーと接続される複数の接続バー接続部が設けられて前記端子収容溝部内に収容されていることを特徴とする電気接続箱。
【請求項２】
請求項１記載の電気接続箱であって、前記端子が、底板部と、この底板部の両側から同方向に立設された一対の側板部とからなり、前記接続バー接続部が一方の側板部から外方へ膨出された複数の突出部で形成され、接続バーが前記突出部に引っ掛けられ、接続を必要としない個所には端子の突出部に絶縁部材を引っ掛ける接続鉤部を有することを特徴とする電気接続箱。
【発明の詳細な説明】
【０００１】
【発明の属する技術分野】
この発明は、電気接続箱に関する。
【０００２】
【従来の技術】
この発明の関連技術としては、例えば、図９〜図１１に示す実開平６−８０３１号公報に開示された技術がある。
【０００３】
図９において符号Ｊは、電気接続箱を示している。この電気接続箱Ｊは、絶縁性を有する合成樹脂でなるカバー本体１と、負荷システム毎に仕分けられた複数の電線ＷでなるサブワイヤーハーネスＳＷ１，ＳＷ２，ＳＷ３と、サブワイヤーハーネスＳＷ１が接続された裏カバー２と、サブワイヤーハーネスＳＷ２が接続された裏カバー３と、サブワイヤーハーネスＳＷ３が接続された裏カバー４とで大略構成されている。各裏カバー２，３，４は、カバー本体１に突き合わされて固定されるようになっている。
【０００４】
図９に示すように、カバー本体１の外面には、裏カバー２，３，４に対応する位置に、例えばリレーキャビティ５，フューズキャビティ６，雌コネクタキャビティ７およびフュージブルリンクキャビティ８などが適宜形成されている。
【０００５】
図１０は、電気接続箱Ｊを裏面側から見たときの要部分解斜視図である。同図に示すように、カバー本体１と裏カバー２およびカバー本体１と裏カバー３の間には、Ｌ字形状に折り曲げられたブスバー１０，１１がそれぞれ介在されている。これらブスバー１０，１１は、電気接続箱ＪにおけるサブワイヤーハーネスＳＷ１，ＳＷ２の内部回路を構成している。なお、カバー本体１の天井壁１ａの内面には、ブスバー挾持溝１２，１３を有する支持壁１４，１５が立設されるとともに、これら支持壁１４，１５の端部および中間部に各種の中継端子１６に対応する複数の端子収容室１７が突設されている。なお、図１１は、上記した電気接続箱Ｊの要部にサブワイヤーハーネスＳＷ１，ＳＷ２を接続した状態を示す等価回路図である。
【０００６】
【発明が解決しようとする課題】
しかしながら、上記した従来技術では、図９に示したように、サブワイヤーハーネスＳＷ１，ＳＷ２，ＳＷ３がそれぞれ接続された裏カバー２，３，４をカバー本体１に組み付ける構成であるため、回路構成が複雑化した場合には、裏カバーの数が増える。この裏カバーの数が増えるとカバー本体１の平面積（投影面積）が増大して電気接続箱Ｊが大型になるという問題点があった。特に、車載用の電気接続箱では設置スペースに制限があるため、電気接続箱の大型化は問題となる。
【０００７】
また、この電気接続箱Ｊでは、カバー本体１と裏カバー２，３，４との間に介在されるブスバー１０，１１が実質的に回路構成を行うものであるため、カバー本体１に設置されるリレーキャビティ５，フューズキャビティ６，雌コネクタキャビティ７、およびフュージブルリンクキャビティ８などの配置変更や、回路変更に伴う接続部の追加などを行う場合、ブスバーのパターンが変更されたり複雑化する。このため、車載用の電気接続箱では、車種や規格の異なる場合に、それぞれ特有のパターンを有するブスバーを準備する必要があった。なお、この従来技術は、ブスバー１０，１１を回路構成要素として備える電気接続箱Ｊであるが、電線布線での回路構成を行う場合もある。この場合、電気接続箱の種類毎に異なる配線接続作業が必要であった。
【０００８】
さらに、図９に示したように、電源部である電線接続箱Ｊでは、複数の回路部を備えるため、多くの電線Ｗが集中してしまい、車両への組み付け性を悪化させるという問題点があった。
【０００９】
そこで、本発明は、接続される電気接続箱の構成の簡略化、小型化を可能にするとともに、部品点数の削減及び組み付け工数の低減を図ることができる電気接続箱の提供を目的としている。
【００１０】
【課題を解決するための手段】
上記の課題を解決するために、請求項１記載の発明は、複数列の端子収容溝部内に、電線端末にそれぞれ接続された複数の端子が収容されたモジュールプレートと、このモジュールプレートを複数枚に積層した状態でこれらのモジュールプレートの所定のスルーホールに、前記端子に設けられた突出部を配置し所定のスルーホールに接続バーを挿通し、接続鉤部を所定の端子の突出部に接続し、接続を必要としない個所には端子の突出部に絶縁部材を引っ掛け、接続鉤部をつぶして絶縁し、各層間の所定の電線同士を接続し所望の回路を形成する接続バーとを備えた電気接続箱であって、前記端子が長尺状で、一側に負荷システム毎に仕分けられた複数の電線端末が接続される電線接続部が設けられ、他側に前記接続バーと接続される複数の接続バー接続部が設けられて前記端子収容溝部内に収容されていることを特徴とする電気接続箱。
【００１１】
したがって、請求項１記載の発明では、モジュールプレートに収容される端子が、一側に負荷システム毎に仕分けられた複数の電線の端末が接続される電線接続部と、他側に接続バーと接続される複数の接続バー接続部とを備えた長尺状に形成されているため、モジュールプレートに収容される端子の数を削減することができる。
【００１２】
このように、端子数を削減することにより、モジュールプレートへの端子の組み付け、および電線の端末の端子への接続が簡単容易になるため、電気接続箱の組み付け工数を低減することができる。
【００１３】
また、端子の数を削減することにより、電気接続箱の構成を簡略化することができ、これにともなって電気接続箱を小型化することができる。
【００１４】
請求項２記載の発明は、請求項１記載の電気接続箱であって、前記端子が、底板部と、この底板部の両側から同方向に立設された一対の側板部とからなり、前記接続バー接続部が一方の側板部から外方へ膨出された複数の突出部で形成され、接続バーが前記突出部に引っ掛けられ、接続を必要としない個所には端子の突出部に絶縁部材を引っ掛ける接続鉤部を有することを特徴とする電気接続箱。
【００１５】
このような構成の請求項２記載の発明では、請求項１記載の発明の作用に加えて、端子に複数の突出部を設けるとともに、接続バーが前記突出部に引っ掛けられ、接続を必要としない個所には絶縁部材を引っ掛ける接続鉤部を設けることで、接続バーの接続鉤部を端子の突出部に引っ掛けることにより、接続バーと端子とを接続することができるため、この接続作業が簡単かつ容易になる。
【００１６】
また、接続バーの接続鉤部を引っ掛ける端子の突出部の選択および接続バーで短絡する電線同士を設定することにより、所望の回路構成や電線分岐を簡単かつ確実に形成することができる。
【００１７】
【発明の実施の形態】
以下、本発明に係る電気接続箱４０の一実施形態を図１〜図８を用いて説明する。
【００１８】
図１は、本実施形態の電気接続箱４０の分解斜視図を示す。
【００１９】
電気接続箱４０は、接続箱本体４１と、モジュールプレート５１，５２，５３と、接続バー５４と、コネクタハウジング部５５とを備えている。
【００２０】
接続箱本体４１は、図１及び図２に示すように、電源部４２と、この電源部４２の側部に延在された分岐回路部４３とを備えている。
【００２１】
接続箱本体４１の上面には、例えばリレーキャビティ，フューズキャビティ，雌コネクタキャビティ、およびフュージブルリンクキャビティなどの各種コネクタ部４４が適宜形成されている。また、分岐回路部４３には、接続箱本体４１と対向する側縁部と、この側縁部に隣接する側縁部の２つの側縁部に、所定高さの側壁４５，４６が立設され、モジュールプレート積層部４７が形成されている。さらに、分岐回路部４３の上面には、接続箱本体４１の内部回路（図示省略する）から分岐された複数の分岐配線４８が配置・敷設されて分岐回路が形成されている。
【００２２】
分岐回路部４３内には、モジュールプレート５１，５２，５３が積層されて形成される積層体５０（図６参照）と、この積層体５０に組み付けられてモジュールプレート５１，５２，５３に配置・収容された電線同士を接続する接続バー５４とが収納され、コネクタハウジング部５５を分岐回路部４３に固定することで、分岐回路部４３との間でモジュールプレート５１，５２，５３と接続バー５４が接続箱本体４１に保持される。
【００２３】
モジュールプレート５１，５２，５３は、図３に示すように、分岐回路部４３の上面に収まる面積を有する矩形状のプレート本体２０と、このプレート本体２０の上面には、複数の隔壁５６で区画された端子収容溝部５７とを有している。
このような構造のモジュールプレート５１，５２，５３のそれぞれには、図４及び図５に示すような、電線端末を接続する端子５９が複数個載置される。これら端子５９は、モジュールプレート５１，５２，５３の積層体５０と、接続バー５４で形成する回路構成および分岐配線の位置選択などの予め設定されたレイアウトに従って、各モジュールプレート５１，５２，５３上に配置されるようになっている。
【００２４】
ここで、端子５９の構造を図４を用いて説明する。
【００２５】
端子５９は、底板部６３と、この底板部６３を同方向に折り曲げられて立設された一対の側板部６４，６４とを有する長尺状に形成されており、モジュールプレート５１，５２，５３における幅方向の隔壁５６同士の間の端子収容溝部５７に配置される。
【００２６】
端子５９には、一側に電線端末が接続される電線接続部６５が設けられ、また他側に接続バー５４と接続される複数の接続バー接続部６６が設けられている。
電線接続部６５は、両方の側板部６４，６４からそれぞれ内方へ突設された２対の圧入刃６４ａ，６４ａ，６４ｂ，６４ｂで形成されている。圧入刃６４ａ，６４ｂは、電線Ｗを圧入することにより電線Ｗの被覆部６０を切り込んで導線部６１に接触して接続をとるようになっている。
【００２７】
また、接続バー接続部６６は、一方の側板部６４から外方へ膨出された複数の突出部６７で形成されている。
【００２８】
端子５９は隔壁５６同士の間に圧入するように設定されており、圧入することでモジュールプレート側に保持されるようになっている。また、接続バー接続部６６は、モジュールプレート５１，５２，５３のそれぞれに複数形成されたスルーホール５８に位置するようになっている。
【００２９】
接続バー５４は、上端部に端子部６８を有し、下方部が端子５９の接続バー接続部６６に接続される接続部６９となっている。
【００３０】
接続部６９には、図７（Ｂ）に示すように、接続バー５４から外方へ突設された接続鉤部７０が形成されている。
【００３１】
上記したモジュールプレート５１，５２，５３に端子５９を配置し、これらモジュールプレート５１，５２，５３を積層し、接続バー５４の接続鉤部７０を端子５９の適宜位置の突出部６７に選択的に引っ掛けることにより、所定の回路を構成することが可能となる。
【００３２】
次に、これらモジュールプレート５１，５２，５３を、接続箱本体４１の分岐回路部４３へ保持させるとともに、分岐接続を行なうコネクタハウジング部５５の構造を簡単に説明する。
【００３３】
コネクタハウジング部５５は、分岐回路部４３上に載置されたモジュールプレート５１，５２，５３の積層体５０を上から覆い分岐回路部４３と係合するようになっている。このようにモジュールプレート５１，５２，５３の積層体５０を分岐回路部４３で覆うことにより、端子５９や接続バー５４の露出を防止する。また、コネクタハウジング部５５には、各モジュールプレート５１，５２，５３に配置された電線Ｗを導出するためのスリット５５ａが上下方向（積層方向）に複数平行に形成されている。
【００３４】
また、コネクタハウジング部５５の上面には、図１及び図７（Ｃ）に示すように、コネクタ部７１，７２，７３が形成されている。これらコネクタ部７１，７２，７３内に形成される接続バー固定部７４には、接続バー５４の端子部６８がコネクタピン（コネクタ端子）として立設されるように固定されている。
【００３５】
以上、各部材の構成について説明したが、次に、図５（Ａ）〜図７（Ｃ）を用いて、本実施形態の電気接続箱４０の組付方法について説明する。なお、ここでは、３枚以上のモジュールプレートを積層する場合について述べ、モジュールプレートをすべて符号５１として説明する。
【００３６】
まず、図５（Ａ）に示すように、それぞれのモジュールプレート５１の端子収容溝部５７に端子５９を圧入・配置させて、端子５９をモジュールプレート５１側へ固定する。このとき、モジュールプレート５１に形成されたスルーホール５８に端子５９に設けられた突出部６７が位置するように配置する。
【００３７】
次に、図５（Ｂ）に示すように、それぞれのモジュールプレート５１に配置された端子５９の電線接続部６５に電線Ｗの端末を接続する。電線Ｗの端末を電線接続部６５に接続するには、電線Ｗの端末を上記した圧入刃６４ａ，６４ａの間及び６４ｂ，６４ｂの間に圧入することにより、電線Ｗの被覆部６０が切り込まれて導線部６１が圧入刃６４ａ，６４ｂに接触して接続される。
【００３８】
その後、図６（Ａ）に示すように、これら複数のモジュールプレート５１を所定の順序で積み上げて積層体５０を形成し、図６（Ｂ）に示すように、積層体５０を分岐回路部４３のモジュールプレート積層部４７上に載置する。さらに、図７（Ａ）に示すように、積層体５０の最上層のモジュールプレート５１の所定のスルーホール５８に接続バー５４を挿通し、図７（Ｂ）に示すように、接続バー５４の接続鉤部７０を所定の端子５９の突出部６７に接続する。
【００３９】
なお、接続バー５４と端子５９との接続を必要としない箇所には、図８に示すように、端子５９の突出部６７に絶縁部材で形成された絶縁キャップ８０を引っ掛けておき、接続バー５４の接続鉤部７０をつぶしておいて、端子５９を絶縁するようになっている。
【００４０】
最後に、図７（Ｃ）に示すように、分岐回路部４３の上に載置されたモジュールプレート５１の積層体５０を覆うようにコネクタハウジング部５５を被せ、このコネクタハウジング部５５の下端部と分岐回路部４３を図示しない係合手段で係合する。このようにコネクタハウジング部５５をモジュールプレート５１の積層体５０に被せても、コネクタハウジング部５５のスリット５５ａにそれぞれの列の電線Ｗが収容されるため、コネクタハウジング部５５から電線Ｗを導出する妨げにはならない。
【００４１】
また、このようにモジュールプレート５１の積層体５０にコネクタハウジング部５５を被せることにより、接続バー５４の上端端子部６８がコネクタハウジング部５５の接続バー固定部７４内に起立するように接続バー５４の長さが設定されている。このように接続バー５４の端子部６８が接続バー固定部７４に起立することにより、コネクタ部７１，７２，７３に接続され、分岐コネクタが構成される。この分岐コネクタは、例えば車両の負荷システムと適宜接続される。
【００４２】
このようにして、電気接続箱４０の組付け工程を完了する。
【００４３】
本実施形態の電気接続箱４０では、モジュールプレート５１（５２，５３）に収容される端子５９が、一側に電線Ｗの端末が接続される電線接続部６５と、他側に接続バー５４と接続される複数の接続バー接続部６６とを備えた長尺状に形成されているため、モジュールプレート５１に収容される端子５９の数を削減することができる。
【００４４】
このように、端子５９の数を削減することにより、モジュールプレート５１  （５２，５３）への端子５９の組み付け、および電線Ｗの端末の端子５９への接続が簡単容易になるため、電気接続箱４０の組み付け工数を低減することができる。
【００４５】
また、端子５９の数を削減することにより、電気接続箱４０の構成を簡略化することができ、これに伴って電気接続箱４０を小型化することができる。
【００４６】
また、本実施形態の電気接続箱４０では、端子５９に複数の突出部６７を設けるとともに、接続バー５４に前記突出部６７に選択的に引っ掛けられる接続鉤部７０を設けることで、接続バー５４の接続鉤部７０を端子５９の突出部６７に引っ掛けることにより、接続バー５４と端子５９とを接続することができるため、この接続作業が簡単かつ容易になる。
【００４７】
また、接続バー５４の接続鉤部７０を引っ掛ける端子５９の突出部６７の選択および接続バー５４で短絡する電線Ｗ同士を設定することにより、所望の回路構成や電線分岐を簡単かつ容易に形成することができる。
【００４８】
また、本実施形態では、電線Ｗの端末を対をなす圧入刃６４ａ，６４ａ，６４ｂ，６４ｂ間に圧入することで、これら圧入刃６４ａ，６４ａ，６４ｂ，６４ｂが電線Ｗの被覆部６０を容易に切り込んで導電部６１と端子５９とを確実に接続することができる。このため、本実施形態では、端子５９が収容されたモジュールプレート５１（５２，５３）へ電線Ｗを容易に組み付けることができ、作業性を向上できる。
【００４９】
以上、一実施形態の電気接続箱４０について説明したが、本発明はこれに限定されるものではなく、構成の要旨に付随する各種の設計変更が可能である。例えば、上記した実施形態では、被覆した単線状の電線Ｗを用いたが、フラットケーブルを用いることも勿論可能である。
【００５０】
【発明の効果】
以上の説明から明らかなように、請求項１記載の発明によれば、モジュールプレートに収容される端子が、一側に負荷システム毎に仕分けられた複数の電線の端末が接続される電線接続部と、他側に接続バーと接続される複数の接続バー接続部とを備えた長尺状に形成されているため、モジュールプレートに収容される端子の数を削減することができる。
【００５１】
このように、端子の数を削減することにより、モジュールプレートへの端子の組み付け、および負荷システム毎に仕分けられた複数の電線の端末の端子への接続が簡単容易になるため電線接続箱の組み付け工数を低減することができる。
【００５２】
また、端子の数を削減することにより、電気接続箱の構成を簡略化することができ、これに伴って電気接続箱を小型化することができる。
【００５３】
請求項２記載の発明によれば、請求項１記載の発明の効果に加えて、端子に複数の突出部を設けるとともに、接続バーが前記突出部に引っ掛けられ、接続を必要としない個所には端子の突出部に絶縁部材を引っ掛ける接続鉤部を設けることで、接続鉤部を端子の突出部に引っ掛けることにより、接続バーと端子とを接続することができるため、この接続作業が簡単かつ容易になる。
【００５４】
また、接続バーの接続鉤部を引っ掛ける端子の突出部の選択および接続バーで短絡する電線同士を設定することにより、所望の回路構成や電線分岐を簡単かつ確実に形成することができる。
【図面の簡単な説明】
【図１】一実施形態の電気接続箱を示す分解斜視図である。
【図２】一実施形態における接続箱本体の斜視図である。
【図３】一実施形態におけるモジュールプレートの斜視図である。
【図４】一実施形態における端子の載置位置を説明する要部斜視図である。
【図５】（Ａ）および（Ｂ）は一実施形態における電気接続箱の組み付け工程を示す斜視図である。
【図６】（Ａ）および（Ｂ）は一実施形態における電気接続箱の組み付け工程を示す斜視図である。
【図７】（Ａ），（Ｂ）および（Ｃ）は一実施形態における電気接続箱の組み付け工程を示す斜視図である。
【図８】一実施形態における端子を絶縁する絶縁キャップを示す斜視図である。
【図９】従来の電気接続箱を示す分解斜視図である。
【図１０】従来の電気接続箱を示す分解斜視図である。
【図１１】従来の電気接続箱とそれに接続されたサブハーネスの等価回路図である。
【符号の説明】
４０  電気接続箱
５１，５２，５３  モジュールプレート
５４  接続バー
５７  端子収容溝部
５９  端子
６３  底板部
６４  側板部
６５  電線接続部
６６  接続バー接続部
６７  突出部
７０  接続鉤部
【図１】
0004098461.tif 000002
【図２】
0004098461.tif 000003
【図３】
0004098461.tif 000004
【図４】
0004098461.tif 000005
【図５】
0004098461.tif 000006
【図６】
0004098461.tif 000007
【図７】
0004098461.tif 000008
【図８】
0004098461.tif 000009
【図９】
0004098461.tif 000010
【図１０】
0004098461.tif 000011
【図１１】
0004098461.tif 000012